【手続補正書】
【提出日】平成22年5月6日(2010.5.6)
【手続補正１】
【補正対象書類名】明細書
【補正対象項目名】００１６
【補正方法】変更
【補正の内容】
【００１６】  前記目的を達成するために、本発明の請求項１の光サンプリング装置は、  サンプリング対象の光信号と所定周期のサンプリング用光パルスとを受け、前記光信号を前記サンプリング用光パルスによってサンプリングし、そのサンプリングによって得られた光パルス信号を出射する光サンプリング装置（２２）において、  入射光のパワーに応じて該入射光に対する吸収率が変化する特性を有し、前記光信号と前記サンプリング用光パルスとを受けるカーボンナノチューブ素子（２３）を備え、 さらに、前記サンプリング用光パルスの波長が前記光信号と異なる波長に設定されており、 前記光信号と前記サンプリング用光パルスとを合波して前記カーボンナノチューブ素子の一方の光端子に入射させる光カプラ（２５′）と、 前記カーボンナノチューブ素子の他方の光端子から出射される光のうち、前記光信号の波長成分を選択的に出射する波長フィルタ（２９）とを備え、  前記カーボンナノチューブ素子に前記サンプリング用光パルスを入射させたときのみ前記光信号を小さい吸収率で出射させることを特徴とする。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】  また、本発明の請求項２の光サンプリング装置は、 サンプリング対象の光信号と所定周期のサンプリング用光パルスとを受け、前記光信号を前記サンプリング用光パルスによってサンプリングし、そのサンプリングによって得られた光パルス信号を出射する光サンプリング装置（２２）において、 入射光のパワーに応じて該入射光に対する吸収率が変化する特性を有し、前記光信号と前記サンプリング用光パルスとを受けるカーボンナノチューブ素子（２３）を備え、 さらに、前記光信号と前記サンプリング用光パルスの偏光方向を互いに直交させるための偏波制御器（２８）と、  前記偏光方向が互いに直交した前記光信号と前記サンプリング用光パルスとを合波して前記カーボンナノチューブ素子の一方の光端子に入射させる光カプラ（２５″）と、  前記カーボンナノチューブ素子の他方の光端子から出射される光のうち、前記光信号の偏光成分を選択的に出射する偏光フィルタ（２９′）とを備え、 前記カーボンナノチューブ素子に前記サンプリング用光パルスを入射させたときのみ前記光信号を小さい吸収率で出射させることを特徴とする。
【手続補正５】
【補正対象書類名】明細書
【補正対象項目名】００２０
【補正方法】変更
【補正の内容】
【００２０】  また、本発明の請求項３の光サンプリング装置は、請求項１または請求項２記載の光サンプリング装置において、  前記カーボンナノチューブ素子は、カーボンナノチューブが形成された素子部材（１２３）をその光入射面が入射光軸と直交する線に対して傾きのある状態で複数並べて形成されていることを特徴とする。
【手続補正６】
【補正対象書類名】明細書
【補正対象項目名】００２１
【補正方法】変更
【補正の内容】
【００２１】  また、本発明の請求項４の光サンプリング装置は、請求項３記載の光サンプリング装置において、  前記素子部材は、前記入射光軸と直交する線に対して対称に配置された２つを一組とすることを特徴とする。
【手続補正７】
【補正対象書類名】明細書
【補正対象項目名】００２２
【補正方法】変更
【補正の内容】
【００２２】  また、本発明の請求項５の光信号品質モニタは、  監視対象の光信号を変調しているデータ信号のクロック周期（Ｔｃ）の整数（Ｎ）倍に対して所定オフセット時間（ΔＴ）だけ異なる周期（Ｔｓ）のサンプリング用光パルスを出射するサンプリング用光パルス発生部（２１）と、  前記光信号を前記サンプリング用光パルスによってサンプリングし、そのサンプリングによって得られた光パルス信号を出力する光サンプリング装置（２２）と、  前記光パルス信号を受けて電気信号に変換する光電変換器（３０）と、  前記光電変換器の出力信号に基づいて、前記監視対象の光信号の品質を表す値を算出する演算部（３５、３５′）とを有する光信号品質モニタにおいて、  前記光サンプリング装置が、前記請求項１〜４のいずれかに記載の光サンプリング装置であることを特徴とする。
【手続補正８】
【補正対象書類名】明細書
【補正対象項目名】００２３
【補正方法】変更
【補正の内容】
【００２３】  また、本発明の請求項６の光サンプリング装置は、請求項５記載の光サンプリング装置において、  前記光電変換器の出力信号の包絡線波の基本波成分と等しい周波数の基本波成分信号を出力する基本波成分信号出力手段（４１）と、  前記基本波成分信号と所定のしきい値とを比較するコンパレータ（４２）と、  前記基本波成分信号が前記しきい値を超えるタイミングから前記光電変換器の出力信号に対する波形情報の取得を開始するデータ取得制御部（４４）とを有していることを特徴とする。
【手続補正９】
【補正対象書類名】特許請求の範囲
【補正対象項目名】全文
【補正方法】変更
【補正の内容】
【特許請求の範囲】
【請求項１】
サンプリング対象の光信号と所定周期のサンプリング用光パルスとを受け、前記光信号を前記サンプリング用光パルスによってサンプリングし、そのサンプリングによって得られた光パルス信号を出射する光サンプリング装置（２２）において、  入射光のパワーに応じて該入射光に対する吸収率が変化する特性を有し、前記光信号と前記サンプリング用光パルスとを受けるカーボンナノチューブ素子（２３）を備え、 さらに、前記サンプリング用光パルスの波長が前記光信号と異なる波長に設定されており、 前記光信号と前記サンプリング用光パルスとを合波して前記カーボンナノチューブ素子の一方の光端子に入射させる光カプラ（２５′）と、 前記カーボンナノチューブ素子の他方の光端子から出射される光のうち、前記光信号の波長成分を選択的に出射する波長フィルタ（２９）とを備え、  前記カーボンナノチューブ素子に前記サンプリング用光パルスを入射させたときのみ前記光信号を小さい吸収率で出射させることを特徴とする光サンプリング装置。
【請求項２】
サンプリング対象の光信号と所定周期のサンプリング用光パルスとを受け、前記光信号を前記サンプリング用光パルスによってサンプリングし、そのサンプリングによって得られた光パルス信号を出射する光サンプリング装置（２２）において、 入射光のパワーに応じて該入射光に対する吸収率が変化する特性を有し、前記光信号と前記サンプリング用光パルスとを受けるカーボンナノチューブ素子（２３）を備え、 さらに、前記光信号と前記サンプリング用光パルスの偏光方向を互いに直交させるための偏波制御器（２８）と、 前記偏光方向が互いに直交した前記光信号と前記サンプリング用光パルスとを合波して前記カーボンナノチューブ素子の一方の光端子に入射させる光カプラ（２５″）と、 前記カーボンナノチューブ素子の他方の光端子から出射される光のうち、前記光信号の偏光成分を選択的に出射する偏光フィルタ（２９′）とを備え、 前記カーボンナノチューブ素子に前記サンプリング用光パルスを入射させたときのみ前記光信号を小さい吸収率で出射させることを特徴とする光サンプリング装置。
【請求項３】
前記カーボンナノチューブ素子は、カーボンナノチューブが形成された素子部材（１２３）をその光入射面が前記入射光軸と直交する線に対して傾きのある状態で複数並べて形成されていることを特徴とする請求項１または請求項２記載の光サンプリング装置。
【請求項４】
前記素子部材は、前記入射光軸と直交する線に対して対称に配置された２つを一組とすることを特徴とする請求項３記載の光サンプリング装置。
【請求項５】
監視対象の光信号を変調しているデータ信号のクロック周期（Ｔｃ）の整数（Ｎ）倍に対して所定オフセット時間（ΔＴ）だけ異なる周期（Ｔｓ）のサンプリング用光パルスを出射するサンプリング用光パルス発生部（２１）と、 前記光信号を前記サンプリング用光パルスによってサンプリングし、そのサンプリングによって得られた光パルス信号を出力する光サンプリング装置（２２）と、 前記光パルス信号を受けて電気信号に変換する光電変換器（３０）と、 前記光電変換器の出力信号に基づいて、前記監視対象の光信号の品質を表す値を算出する演算部（３５、３５′）とを有する光信号品質モニタにおいて、 前記光サンプリング装置が、前記請求項１〜４のいずれかに記載の光サンプリング装置であることを特徴とする光信号品質モニタ。
【請求項６】
前記光電変換器の出力信号の包絡線波の基本波成分と等しい周波数の基本波成分信号を出力する基本波成分信号出力手段（４１）と、 前記基本波成分信号と所定のしきい値とを比較するコンパレータ（４２）と、 前記基本波成分信号が前記しきい値を超えるタイミングから前記光電変換器の出力信号に対する波形情報の取得を開始するデータ取得制御部（４４）とを有していることを特徴とする請求項５記載の光信号品質モニタ。